(57)【要約】【課題】従来の電気ケトルに過昇防止装置として用いられている温度ヒューズは絶縁チューブを介して熱が伝わるため、高出力の加熱装置ではその温度上昇速度が速く、温度ヒューズでは温度上昇が追随いない。【解決手段】加熱装置と、非復帰型サーモスタットと、本体に取り付け可能なばね材からなる取り付け板と、を有し、取り付け板は本体と接触する固定板と、固定板から略直角に折り曲がった立ち面と、立ち面から略直角に折り曲がった底板と、を有し、底板には、非復帰型サーモスタットを挟み込むように保持板が接続され、底板の非復帰型サーモスタットと接触している面と反対の面には、本体と底板との間に介在するように加熱装置が接触しており、底板の加熱装置と対向する面には、加熱装置側へ突出した突部が形成されている。【選択図】図１
2013230175.tif 000002
【特許請求の範囲】
【請求項１】
非復帰型サーモスタットの取り付け板に、前記非復帰型サーモスタットの感熱部に敷いた底板と、加熱装置表面に当接する底板に設けた突起と、を備えたことを特徴とする電気ケトル。
【請求項２】
コの字に形成した非復帰型サーモスタットの取り付け板を備えたことを特徴とする請求項１に記載の電気ケトル。
【請求項３】
更に非復帰型サーモスタットの上面には凹部が形成されており、前記凹部に嵌り込む突起を設けた抜け防止板を取り付け板に備えたことを特徴とする請求項１又は２に記載の電気ケトル。
【請求項４】
前記取り付け板を本体に締め付け時に、前記取り付け板が加熱装置表面に押しつけるように変形可能なばね材で形成したことを特徴とする請求項１〜３のいずれかに記載の電気ケトル。
【請求項５】
加熱装置と、非復帰型サーモスタットと、本体に取り付け可能なばね材からなる取り付け板と、を有し、前記取り付け板は本体と接触する固定板と、当該固定板から略直角に折り曲がった立ち面と、当該立ち面から略直角に折り曲がった底板と、を有し、
前記底板には、前記非復帰型サーモスタットを挟み込むように保持板が接続され、前記底板の前記非復帰型サーモスタットと接触している面と反対の面には、前記本体と前記底板との間に介在するように前記加熱装置が接触しており、
前記底板の前記加熱装置と対向する面には、前記加熱装置側へ突出した突部が形成されていることを特徴とする電気ケトル。
【請求項６】
請求項５に記載の電気ケトルであり、
前記非復帰型サーモスタットの、前記非復帰型サーモスタットと前記保持板とが対向する面には凹部が形成されており、一方、前記保持板の前記非復帰型サーモスタットと対向する面には突部が形成されており、前記凹部と前記突部との間には抜け防止板が介在されていることを特徴とする電気ケトル。
【発明の詳細な説明】
【技術分野】
【０００１】
本発明は電気ケトルに関し、加熱装置の過昇防止装置に関するものである。
【背景技術】
【０００２】
電気ケトルの加熱装置の過昇防止に温度ヒューズを加熱装置に接触させる方法がある（例えば特開２００９−１２５３５６参照）。図６は、特開２００９−１２５３５６号公報（特許文献１）に記載された従来の電気ケトルの加熱装置の過昇防止用温度ヒューズの取り付け構成を示すものである。図６に示すように、絶縁チューブ４０に挿入した温度ヒューズ４１を加熱手段の表面４２に接触させ、保持板４３を締め込むときに、前記加熱装置に当接させるために保持板４３に変形代を設けている。
【先行技術文献】
【特許文献】
【０００３】
【特許文献１】特開２００９−１２５３５６号公報
【発明の概要】
【発明が解決しようとする課題】
【０００４】
しかしながら、前記従来の構成では、温度ヒューズは絶縁チューブを介して熱が伝わるため、高出力の加熱装置では、その温度上昇速度が速く、温度ヒューズでは温度上昇が追随しないという課題を有していた。本発明は、このような課題を解決するもので、高出力の加熱装置でも温度上昇に追随し、通常の使用時には十分に温度余裕がある過昇防止装置を有する電気ケトルを提供することを目的としている。
【課題を解決するための手段】
【０００５】
前記従来の課題を解決するために、本発明の電気ケトルは、過昇防止装置として非復帰型サーモスタットを用い、その感熱部に底板を敷き、かつ底板に突起を設けて加熱装置表面より浮かせる取り付け板を設けたものである。
【発明の効果】
【０００６】
本発明の電気ケトルは温度応答性のいい非復帰型サーモスタットを取りつけることにより、高出力の加熱装置でも温度上昇が追随し、非復帰型サーモスタットの感熱部に底板を敷き、かつ底板に突起を設けて加熱装置表面より浮かせる取り付け板を設けることにより、通常の使用時は十分に温度余裕を確保できる。
【図面の簡単な説明】
【０００７】
【図１】本発明の実施の形態１における電気ケトルの過昇防止装置の断面図
【図２】本発明の実施の形態１における電気ケトルの過昇防止装置の分解斜視図
【図３】本発明の実施の形態１における電気ケトルの加熱装置が溶融したときの過昇防止装置の断面図
【図４】本発明の実施の形態１における電気ケトルの過昇防止装置の平面図
【図５】本発明の実施の形態１における電気ケトルの側面断面図
【図６】従来の電気ケトルの過昇防止装置の断面図
【発明を実施するための形態】
【０００８】
第１の発明は、非復帰型サーモスタットの取り付け板に、前記非復帰型サーモスタットの感熱部に敷いた底板と、加熱装置表面に当接する底板に設けた突起と、を備えたことを特徴とする。このため、過昇防止装置として非復帰型サーモスタットを用いることにより、高出力の加熱装置でも温度上昇を追随することができる。また、非復帰型サーモスタット感熱部に底板を敷き、かつ底板に突起を設けて加熱装置表面より浮かせる取り付け板を設けることにより、加熱装置の表面粗度に影響されず、通常の使用時は十分に温度余裕を安定して確保できる。
【０００９】
第２の発明は、非復帰型サーモスタットの取り付け板をコの字に形成することにより、取り付け板を取り付けた状態でも非復帰型サーモスタットを着脱可能にできる。
【００１０】
第３の発明は、非復帰型サーモスタット上面凹部に取り付け板の固定片に設けた突起部を嵌め込むことにより、非復帰型サーモスタットの抜け止めができる。
【００１１】
第４の発明は、取り付け板をばね材で形成し、締め付け時に加熱装置表面に押しつけるように変形代をもたせることにより、部品のばらつきにより、取り付け板が加熱装置表面から浮くことを防止きでき、また、加熱装置が溶融したときでもその表面に追随するため、焼損に対する安全性を確保できる。
【００１２】
第５の発明は、加熱装置と、非復帰型サーモスタットと、本体に取り付け可能なばね材からなる取り付け板と、を有し、前記取り付け板は本体と接触する固定板と、当該固定板から略直角に折り曲がった立ち面と、当該立ち面から略直角に折り曲がった底板と、を有し、前記底板には、前記非復帰型サーモスタットを挟み込むように保持板が接続され、前記底板の前記非復帰型サーモスタットと接触している面と反対の面には、前記本体と前記底板との間に介在するように前記加熱装置が接触しており、前記底板の前記加熱装置と対向する面には、前記加熱装置側へ突出した突部が形成されていることを特徴とする。じびため、過昇防止装置として非復帰型サーモスタットを用いることにより、高出力の加熱装置でも温度上昇を追随することができる。また、非復帰型サーモスタット感熱部に底板を敷き、かつ底板に突起を設けて加熱装置表面より浮かせる取り付け板を設けることにより、加熱装置の表面粗度に影響されず、通常の使用時は十分に温度余裕を安定して確保できる。
【００１３】
請求項６の発明は、請求項５に記載の発明であり、前記非復帰型サーモスタットの、前記非復帰型サーモスタットと前記保持板とが対向する面には凹部が形成されており、一方、前記保持板の前記非復帰型サーモスタットと対向する面には突部が形成されており、前記凹部と前記突部との間には抜け防止板が介在されていることを特徴とする。このため、非復帰型サーモスタットの抜け止めができる。
【実施例】
【００１４】
以下、本発明の実施の形態について、図面を参照しながら説明する。なお、この実施の形態によって本発明が限定されるものではない。
【００１５】
（実施の形態１）
図１は、本発明の実施の形態１における電気ケトルの過昇防止装置の断面図を示すものである。図２は、本発明の実施の形態１における電気ケトルの過昇防止装置の分解斜視図を示すものである。図３は、本発明の実施の形態１における電気ケトルの加熱装置が溶融したときの過昇防止装置の断面図を示すものである。図４は、本発明の実施の形態１における電気ケトルの過昇防止装置の平面図を示すものである。図５は、本発明の実施の形態１における電気ケトルの側面断面図を示すものである。
【００１６】
図１〜５において、本体２と、本体２側面に配置し本体２を持ち上げるときの持ち手となる取手１３と、満水時の水位を表示した満水目盛１１を内側面に設けた液体を収容する容器１と、容器１内に液体を注入するための開口穴として給水口８と、容器１の上方開口部をヒンジ部１４の支点軸を中心に開閉自在に覆う蓋体３と、容器１内の液体を加熱する加熱手段４と、沸騰した液体の蒸気を検知し自動で機械的に給電を停止する蒸気検知手段５と、蒸気検知手段５の給電と給電停止を切替えるスイッチに結合し本体２外面に配置した操作部６と、本体２を設置し本体２側に給電するための給電台１５と、給電台１５の上面に配置した本体接続部１６と、本体２の上端前部側面に設けた液体を本体２外に注出するための注ぎ口７と、注ぎ口７と容器１間に配置し液体を本体２外に注出するときに液体内の異物を取除くためのフィルター２３とを備えている。また、蓋体３は、蓋本体部２２と、蓋外装板２１と、お手入れ性と外観品位の向上を目的としたステンレス製の蓋化粧板２０と、蓋本体部２２に取付けた蓋を閉じたときに本体係合部１７に係合する蓋係合部１８を他端に有する蓋開閉操作部１９と、蓋体３を閉じたときに蓋体３と給水口８間をシールするためのゴム製のシール部材９と、シール部材９を固定するためのシール部材押え板１０と、蓋本体部２２とシール部材押え板１０に挟まれた空間の蒸気経路１２とから構成されている。
【００１７】
２４は取り付け板で、容器底１に設けられたねじ２５に挿入する穴２６を有する固定板２７と、非復帰型サーモスタット２８を保持する保持部２９とを有しており、ばね材で形成されている。保持部２９は加熱装置４に点接触する突起３０を有する底板３１と、非復帰型サーモスタット２８を保持する保持板３２と、非復帰型サーモスタット２８の天面の凹部３３に嵌り込む突起３４を有する抜け防止板３５と、取り付け前は加熱装置４の方向に倒れた立ち面３６より形成されており、底板３１と保持板３２は略コノ字を形成している。また、底板３１は加熱装置４の外側まで延びた平面部４４を有する。
【００１８】
又、３７は非復帰型サーモスタット２８の感熱部で、底板３１に当接している。３８は絶縁チューブで、感熱部３７に突き当たるまで非復帰型サーモスタット２８の端子３９に挿入されている。
【００１９】
以上のように構成された電気ケトルについて、以下その動作、作用を説明する。
【００２０】
容器１に水が入っていない場合、加熱装置４に電流が供給されると、容器１の底面の温度が急上昇し、本体接続部１６に内蔵されたバイメタルが働き、電流が遮断される。
【００２１】
しかし、もしこのバイメタルが働かなかった場合、加熱装置４の温度は急上昇を続ける。その場合、加熱装置４の輻射熱により底板３１が温度上昇し、非復帰型サーモスタット２８の感熱部３７に熱が伝わり、感熱部３７も温度上昇する。
【００２２】
その後、加熱装置４のアルミが溶融し始めても、取り付け板２４の保持部２９が加熱装置４の表面と当接しながら倒れるため、感熱部３７の温度は上昇し続け、電流を遮断する。
【００２３】
加熱装置４に点接触する突起３０を有する底板３１を設けることのより、感熱部３７には輻射熱が伝わるため、通常水を入れて使用する場合や、本体接続部１６に内蔵されたバイメタルが働く場合は、非復帰型サーモスタット２８の動作温度には十分な余裕を得ることができる。また、加熱装置４の表面粗さのばらつきによる感熱部３７の温度上昇のばらつきがなくなる。
【００２４】
取り付け板２４には、非復帰型サーモスタット２８の天面の凹部３３に嵌り込む突起３４を有する抜け防止板３５が設けられているため、組み立て作業中に負荷がかかっても外れることはない。また、非復帰型サーモスタット２８を交換する場合、底板３１と保持板３２はコノ字を形成しているため、取り付け板２４を取り付けたままで交換することができる。
【００２５】
更に、底板３１は加熱装置４の外側まで延びた平面部４４を有するため、絶縁チューブ３８は加熱装置４に接触することはないため、耐熱温度の低い安価なチューブを使用することができる。
【産業上の利用可能性】
【００２６】
以上のように、本発明にかかる電気ケトルは、温度応答性の良い非復帰型サーモスタットを取りつけることにより、高出力の加熱装置でも温度上昇が追随するため、他の加熱装置の安全装置として利用できる。
【符号の説明】
【００２７】
４    加熱装置
２４  取り付け板
２７  固定板
２８  非復帰型サーモスタット
２９  保持部
３０  突起
３１  底板
３２  保持板
３３  凹部
３４  突起
３５  抜け防止板
３６  立ち面
３７  感熱部
４４  平面部
【図１】
2013230175.tif 000003
【図２】
2013230175.tif 000004
【図３】
2013230175.tif 000005
【図４】
2013230175.tif 000006
【図５】
2013230175.tif 000007
【図６】
2013230175.tif 000008